(57)【特許請求の範囲】
【請求項１】
留守録時間設定部を有し、検知センサからの検知信号によりＣＣＤカメラを駆動し、更に家庭用ビデオデッキの電源ＯＮ、録画ＳＴＡＲＴ、録画ＳＴＯＰ、電源ＯＦＦを制御するコントローラで、ＴＶ信号とＣＣＤ信号の切替を留守録時間と連動させた監視カメラ映像録画コントロールシステムにおいて、前記コントローラには家庭用ビデオデッキがビデオ信号録画予約時間中はＣＣＤカメラからの信号を記憶するメモリーを有し、ビデオ信号録画が終了したら前記メモリーからビデオテープに録画することを特徴とする監視カメラ映像録画コントロールシステム。
【請求項２】
請求項１記載の監視カメラ映像録画コントロールシステムにおいて、コントローラへの入力とビデオデッキへの入力を共通のリモコンにより行なうことを特徴とする監視カメラ映像録画コントロールシステム。
【発明の詳細な説明】
【０００１】
【発明の属する技術分野】
本発明は監視カメラ映像録画コントロールシステムに関するものである。
【０００２】
【従来の技術】
セキュリティーを目的とした監視カメラは人の出入りする所で多用されている。監視カメラからの映像信号をモニターテレビで再生して監視するが、監視人がいない場合は監視カメラからの映像をビデオデッキに録画しておき、異常があれば後で再生して確認する方法が採られている。ビデオデッキは監視カメラ用の高価なものである。
【０００３】
一般家庭で使用されているドアホーンは玄関または門の前を映し出す監視カメラ（最近では小型化が可能なＣＣＤカメラが採用されている）と屋内に設置されるモニターで構成され、来客者を映像により確認している。不在の場合は、家庭用のビデオデッキに録画をする方式が提案されている。例えば実開平６−８１１８１号には、家庭用テレビ、ビデオ利用型来客感知及び留守番録画システム装置として安価で、簡便で、しかも高度な防犯システムを得られるとして公開されている。現在持っている各メーカー製の家庭用テレビおよびビデオデッキに何ら手を加えることなく、来訪者や物等が移動して来ると警報音にて注意を喚起し自動的に、該テレビのスイッチが入り、該人物や物等を見逃すことなく来訪者を確認でき、また、テレビ番組を楽しんでいても来訪者の画面と切り替わり、更に、不在であっても、来訪者等をビデオ録画するような制御装置により防犯システムを構成したものである。
【０００４】
不在の場合に来客等がくると、ビデオデッキに自動的にビデオ録画され、タイマーが切れると録画が終了し待ち状態になり、次に来客等がくると再度ビデオデッキに自動的にビデオ録画され、タイマーが切れると録画が終了し待ち状態になるものである。前記従来の技術はビデオデッキが監視カメラ専用で必要である。すなわち、不在の場合に来客がくるとビデオデッキに自動的に録画される構成なので、使用されていない監視カメラ専用のビデオデッキが必要となっている。また、家庭用ビデオデッキ１台で前述のような防犯システムを構築した場合、通常のビデオデッキ使用時と、監視カメラからのＣＣＤ信号を留守録する目的に合わせてＴＶ信号／ＣＣＤ信号を切り替える必要がある。ＣＣＤ信号をビデオデッキの外部入力端子に接続しておき、ＣＣＤ信号を録画するときには、ビデオデッキ本体の外部入力切替えスイッチを切替えなければならず、切替えを忘れると検知センサが来客等を検知してビデオデッキの録画を開始させてもＴＶ信号が録画されてしまうことになる。逆に、ＴＶ番組を録画しようとして監視カメラの映像を録画してしまうことになる。
【０００５】
前記欠点を解消する方法として、留守録時間設定部を有し、検知センサからの検知信号によりＣＣＤカメラを駆動し、更に家庭用ビデオデッキの電源ＯＮ、録画ＳＴＡＲＴ、録画ＳＴＯＰ、電源ＯＦＦを制御するコントローラにおいて、ＴＶ信号とＣＣＤ信号の切替を留守録時間設定と連動させる方法が発明された。
【０００６】
図１前記本発明に係わる監視カメラ留守録コントローラを示すブロック図である。屋外部にある監視カメラ部１は焦電センサ１２０、撮像部（ＣＣＤカメラ）１００、フォトＩＣ１３０、赤外線ＬＥＤ１１０で構成されている。焦電センサ１２０は来客等の侵入に伴って生ずる過渡的な温度変化を検知し、来客等が訪問したことを示す信号をＡＭＰ部１２１、コンパレーター部１２２を経てコントローラ部２のマイコン部２００に出力する。マイコン部２００はスイッチ２３６を動作し、ＣＣＤカメラ１００が動作する。ＣＣＤカメラ部はＣＣＤカメラ１００、ＣＣＤ電源生成部１０１、タイミングジェネレーター１０４、垂直ドライバ１０３、信号処理部１０２で構成されている。ＣＣＤカメラ１００からの信号は信号処理部１０２で処理され、コントローラ部２の信号セレクト部２１０に入力される。フォトＩＣ１３０は撮像場所の明暗を検知するものであり、明暗の状態を電気信号１３１としてマイコン部２００に出力している。マイコン部２００は撮像場所が暗い場合には焦電センサ１２０からの信号とフォトＩＣ１３０の信号のアンドを取ってスイッチ２３５を作動し赤外線ＬＥＤ１１０を発光させる。撮像場所が暗い場合でも撮像できるようにするためのものである。
【０００７】
コントローラ部２は、マイコン部２００、信号セレクト部２１０、タイマー２２０、セット部２２１、スイッチ２３１、スイッチ２３５、スイッチ２３６、表示部２４０、ＬＥＤ２４１等で構成されている。ＡＣアダプタ２３０からの電源は電源ライン２３２、スイッチ２３１、電源ライン２３３、タイマースイッチ２２０、電源ライン２３４より各構成要素に接続されている。
【０００８】
マイコン部２００はタイマー２２０がセットされ録画開始時刻になると電源が入る。また、セット部２２１の操作によっても電源が入り入力が終了すると電源が切れる。マイコン部２００にはフォトＩＣ１３０と焦電センサ１２０からの信号が入力され、スイッチ２３５、スイッチ２３６、信号セレクト部２１０、ビデオデッキ３０１を制御する。焦電センサ１２０からの信号によりスイッチ２３６をＯＮ状態にし、所定時間経過するとスイッチ２３６をＯＦＦにする。これに同期して、ビデオデッキ３の電源ＯＮ、録画ＳＴＡＲＴ、録画ＳＴＯＰ、電源ＯＦＦを制御する。本実施形態では赤外線を使用している。ビデオデッキ３は家庭用のものであり、図では赤外線受光部３０１と入力端子３０２のみ記載している。
【０００９】
信号セレクト部２１０にはビデオ信号（ＴＶ）２１２とＣＣＤ信号２１１が入力されている。信号セレクト部２１０の出力端子とビデオデッキ３の入力端子３０２はケーブル２１３で接続されている。信号セレクト部２１０はマイコン部２００と接続されていて、マイコン部２００に電源が入ると信号セレクト部２１０はＣＣＤ信号２１１を選択してビデオデッキ３に出力するように制御される。すなわち、セット部２２１によりタイマー２２０がセットされ、留守録開始時刻になるとマイコン部２００に電源が入り、ビデオデッキには自動的にＣＣＤ信号が入力されることになる。留守録終了時刻になるとマイコン部２００の電源が切れ、信号セレクト部２１０はビデオ信号２１２を選択してビデオデッキ３に出力する。留守録開始時刻と留守録終了時間を同じに設定すると留守録タイマー時間は無制限になるが、後述する機能により所定回数録画すると録画ができなくなる。
【００１０】
表示部２４０はコントローラ部２の必要事項を表示するためのものであり、カレンダー、時間、１回の録画時間、録画回数、録画可能回数、タイマー設定の有無、録画中表示等を表示する。ＬＥＤ２４１はコントローラ部２の電源が入っていることの表示である。カレンダー、時間表示はセットの為の確認用であり、１回の録画時間、録画回数、録画可能回数はコントローラ部２の機能設定状態表示であり、タイマー設定有無、録画中表示はコントローラ部２の使用状態表示である。
【００１１】
セット部２２１はマイコン部２００と接続されていて、コントローラ部２に必要な機能に対する入力ができる。例えば、コントローラに組み込まれているデジタル時計（不図示）の時間、曜日や１回の録画時間長さ、録画可能回数等の入力をする。タイマー機能をマイコン部２００に組み込むことでタイマー２２０をなくすことも可能である。１回の録画時間を例えば３分に設定する。焦電センサ１２０が来客等を検知すると録画が開始され、録画回数は１と計数される。３分以内に来客等が検知範囲外に出ても３分間は録画して録画を終了する。３分経過しても焦電センサ１２０が検知状態であれば録画をそのまま継続し、録画回数はプラス１と計数される。また、３分以内に再び検知した場合は、その時点から３分間録画を継続する。この場合も録画回数はプラス１と計数される。録画可能回数に達すると録画はできなくなる。
【００１２】
【発明が解決しようとする課題】
１台のビデオデッキで監視カメラ留守録システムが構築できるが、本来のビデオデッキの機能であるビデオ信号（ＴＶ）の留守録をしているとセキュリティー目的の監視カメラ留守録ができない。すなわち、一方の信号しか録画できないシステムになってしまっていた。
【００１３】
コントローラの入力とビデオデッキの入力が別々であり、入力が２度手間となる部分があり、入力がわずらわしいものであった。
【００１４】
【課題を解決するための手段】
留守録時間設定部を有し、検知センサからの検知信号によりＣＣＤカメラを駆動し、更に家庭用ビデオデッキの電源ＯＮ、録画ＳＴＡＲＴ、録画ＳＴＯＰ、電源ＯＦＦを制御するコントローラで、ＴＶ信号とＣＣＤ信号の切替を留守録時間と連動させた監視カメラ映像録画コントロールシステムにおいて、前記コントローラには家庭用ビデオデッキがビデオ信号録画予約時間中はＣＣＤカメラからの信号を記憶するメモリーを有し、ビデオ信号録画が終了したら前記メモリーからビデオテープに録画する。
【００１５】
前項「００１４」記載の監視カメラ映像録画コントロールシステムにおいて、コントローラへの入力とビデオデッキへの入力を共通のリモコンにより行なう。
【００１６】
【発明の実施の形態】
図２は本発明の一実施形態を示すコントローラのブロック図である。ブロック図上で図１と異なるのはマイコン部２００にメモリー２０１、セット部２２１に赤外線受光部２２２が付加されている点である。メモリー２０１はビデオデッキ３が留守録をしているときに来客等があった場合に一時的にＣＣＤカメラ１００の映像信号を保存するためのものであり、メモリー２０１の容量は保存量により決めればよい（例えば３分×５回分）。
【００１７】
図３は本発明の一実施形態を示す動作フローチャートである。コントローラ部２の電源がＯＮされると、マイコン部２００では、３００でメモリー２０１の確認をする。メモリー２０１の中にビデオテープに録画していない（未録画）ものが在るか否かを確認する。有る場合はＹであり、焦電センサ検知有無３６０へ、無い場合はＮであり、焦電センサー検知有無３１０へ進む。
【００１８】
最初に左のラインを説明する。３１０で焦電センサー検知有りの場合は３２０の検知パルスＯＮとなり、３３０でＶＴＲタイマー設定時間内であるか否かの判定をする。時間内でＶＴＲ３がビデオ信号（ＴＶ）を録画している場合はＣＣＤカメラ１００の映像信号（ＣＣＤ信号）はメモリー２０１にメモリー書き込み３９０で書き込み保存される。時間外であれば、ＣＣＤ信号は留守録画３４０される。図示してないが、設定時間だけ録画するとビデオデッキ（ＶＴＲ）３は待機３５０となる。
【００１９】
次に右のラインを説明する。メモリー内容未録画有りで焦電センサー検知有Ｙの場合は左のラインに戻り検知パルスＯＮ３２０に進み、以下は前述の通りとなる。焦電センサ検知無Ｎの場合はＶＴＲタイマー設定時間内であるか否かを判定する。時間外Ｎであれば、メモリー内容をＶＴＲに録画３８０し、メモリー２０１に書き込まれていたものを消去する。
【００２０】
留守中にタイマーによりビデオ信号（ＴＶ）を録画している場合は、ＣＣＤカメラ１００からのＣＣＤ信号は一時メモリー２０１に書き込んでおき、ビデオ信号（ＴＶ）の録画が終了しＣＣＤ信号のないときに、メモリー２０１に書き込まれている信号を読み出してビデオデッキ３に録画する。
【００２１】
前述の監視カメラ映像録画コントロールシステムでは、コントロール部２に留守録時間のタイマーセットとビデオデッキ３の留守録時間のセットをし、ビデオデッキ３にも留守録時間の入力をしなければならず、ビデオデッキ３の留守録時間入力は２重になっている。本発明では、コントローラ部２のセット部２２１に赤外線受光部２２２を設け、ビデオデッキ３の留守録時間のコントローラ部２とビデオデッキ３への入力を共通のリモコン装置で１回でできるようにした。ビデオデッキ３とコントローラは近接して設置されるものなので容易に同時入力ができる。
【００２２】
【発明の効果】
請求項１の発明によれば、留守中にビデオデッキ３が使用されていても、コントローラ２のメモリー２０１に録画しておくことができ、ビデオデッキ３未使用時にメモリー２０１からビデオテープに移せるので、家庭用ビデオデッキ３でも録画漏れのない監視カメラ映像録画コントロールシステムが構築できる。
【００２３】
請求項２の発明によれば、本発明の監視カメラ映像録画コントロールシステムへのビデオ信号録画予約が簡単にできるようになる。
【図面の簡単な説明】
【図１】本発明に係わる監視カメラ留守録コントローラ一を示すブロック図
【図２】本発明の一実施形態を示すコントローラのブロック図
【図３】本発明の一実施形態を示す動作フローチャート
【符号の説明】
１      監視カメラ部
１００  ＣＣＤカメラ
１０１  ＣＣＤ電源生成部
１０２  信号処理部
１０３  垂直ドライバ
１０４  タイミングジェネレーター
１１０  赤外線ＬＥＤ
１２０  焦電センサ
１２１  ＡＭＰ部
１２２  コンパレータ部
１３０  フォトＩＣ
１３１  フォトＩＣ出力
２      コントローラ部
２００  マイコン部
２０１  メモリー
２１０  信号セレクト部
２１１  ＣＣＤ信号
２１２  ビデオ信号（ＴＶ）
２１３  ケーブル
２２０  タイマー
２２１  セット部
２２２  赤外線受光部
２３０  ＡＣアダプタ
２３１  スイッチ
２３２  電源ライン
２３３  電源ライン
２３４  電源ライン
２３５  スイッチ
２３６  スイッチ
２４０  表示部
２４１  ＬＥＤ
３      ビデオデッキ
３００  メモリー内容未登録有無
３０１  赤外線受光部
３０２  入力端子
３１０  焦電センサー検知有無
３２０  検知パルスＯＮ
３３０  ＶＴＲタイマー設定時間内？
３４０  留守録画
３５０  待機
３６０  焦電センサー検知有無
３７０  ＶＴＲタイマー設定時間内？
３８０  メモリー内容録画
３９０  メモリー書き込み
【図１】
0003566859.tif 000002
【図２】
0003566859.tif 000003
【図３】
0003566859.tif 000004